(57)【要約】【課題】会話の内容と電話機の操作とを対応付けて学習し、その後電話機の操作が必要な会話がなされた場合に、電話機の操作を支援する電話機を提供する。【解決手段】通話中に、転送、保留、通話録音、電話帳操作または秘匿通話に係わる操作を受け付けたとき、電話機操作記憶部は、当該操作に係わる情報を、当該操作が為された前後の所定の期間に音声キーワード受信部が受信したキーワードと対応付けて記憶し、通話中に、音声キーワード受信部がキーワードを受信したとき、通話監視部は、受信したキーワードに基づいて、電話機操作記憶部を参照して、受信したキーワードに対応付けられた操作を、表示部に操作候補として表示する電話機により、達成できる。【選択図】図１
2013243447.tif 000002
【特許請求の範囲】
【請求項１】
音声キーワードを抽出する自電話機と接続された音声認識装置または自電話機が備える音声認識部へ通話者の音声を出力する音声出力手段と、前記音声認識装置または前記音声認識部から抽出された音声キーワードを入力する音声キーワード入力手段と、音声キーワードと対応付けて当該音声キーワードを当該通話者が発した時の前記通話者が為した操作内容を記憶する電話機操作記憶手段と、操作候補を表示する操作候補表示手段と、を備え、
通話中に、転送、保留、通話録音、電話帳操作または秘匿通話に係わる操作が為された場合に、前記電話機操作記憶手段は当該操作に係わる操作内容を当該操作が為された前後の所定の期間に前記音声キーワード入力手段が入力した音声キーワードと対応付けて記憶し、
通話中に、前記音声キーワード入力手段が音声キーワードを入力した場合に、前記操作候補表示手段は、前記電話機操作記憶手段を参照して、前記入力した音声キーワードに対応付けられた操作内容を操作候補として表示することを特徴とする操作支援機能を有する電話機。
【請求項２】
請求項１に記載の電話機であって、
前記電話操作記憶手段は、通話相手ごとに音声キーワードと前記通話者の操作内容を対応付けて記憶し、
通話中に、前記音声キーワード入力手段が音声キーワードを入力した場合に、前記操作候補表示手段は、通話相手ごとに前記電話機操作記憶手段を参照して、前記入力した音声キーワードに対応付けられた操作内容を操作候補として表示することを特徴とする操作支援機能を有する電話機。
【請求項３】
請求項１または請求項２に記載の電話機であって、
前記電話操作記憶手段は、前記操作を受け付けた場合に、前記操作に係わる操作内容と音声キーワードとそれらの組み合わせの受け付け回数とを対応付けて記憶し、
通話中に、前記音声キーワード入力手段が音声キーワードを入力した場合に、前記操作候補表示手段は、入力された音声キーワードに基づいて、前記電話機操作記憶手段を参照し、前記入力した音声キーワードに対応付けられた操作内容の内、前記受け付け回数の大きい操作内容を優先して操作候補として表示することを特徴とする電話機。
【発明の詳細な説明】
【技術分野】
【０００１】
本発明は、電話機に係り、特に会話の途中で電話機の操作を支援する電話機に関する。
【背景技術】
【０００２】
通話を第三者へ転送する場合に保留操作を忘れて切断してしまうことがある。また、面識のない相手からの会話においてその場では会話内容が理解できず通話録音を行なっていれば良かったと後悔することがある。このような通話に関する操作忘れを防ぐために会話の途中で操作を支援する電話機の要求がある。
【０００３】
特許文献１は、音声を発することにより一連の通話操作を行なうことを可能にする通話接続方法および電話機に関する技術を開示する。また、特許文献２は、音声メッセージを対象に音声認識モデルを用いてワードスポッティングの音声認識処理を行ない、キーワードに該当する音声を認識すると特定の動作を行なう技術を開示する。
【先行技術文献】
【特許文献】
【０００４】
【特許文献１】特開平０７−２１２４５６号公報
【特許文献２】特開平１０−１７３７６９号公報
【発明の概要】
【発明が解決しようとする課題】
【０００５】
特許文献１では、電話機の操作を行なうために対応する操作用命令語を予め登録する必要がある。ここで、電話機の操作とは、応答、発呼、切断等である。しかし、会話の途中で操作のための発声を行なうことは、通話相手との会話が不自然になることが懸念される。
【０００６】
特許文献２では、ワードスポッティングを用いてキーワードを検出するために予め該当するキーワードを登録しておく必要がある。さらに利用者ごとにキーワード管理まで行なうには音声認識の構成が複雑になる事が予想される。
【０００７】
本発明は、上記事情に鑑みてなされたものであり、会話の内容と電話機の操作とを対応付けて学習し、その後電話機の操作が必要な会話がなされた場合に、電話機の操作を支援する電話機を提供する。
【課題を解決するための手段】
【０００８】
上記課題を解決するために、本発明ではワードスポッティングを用いた音声認識機能を利用した電話機を用いる。電話機は会話の語句のキーワードを検出し、その際に電話機を操作した操作内容を関連付けて記憶する。また、会話している相手が自電話機の電話帳等に存在している既知の相手であるかを合わせて記憶する。
【０００９】
以降、新たな会話において記憶したキーワードの音声を検出したならば、過去に操作したボタン（例えば、保留ボタンや転送ボタンや通話録音ボタンなど）を会話者が操作しやすいように電話機の画面に表示する。
【００１０】
上述した課題は、音声キーワードを抽出する自電話機と接続された音声認識装置または自電話機が備える音声認識部へ通話者の音声を出力する音声出力手段と、音声認識装置または音声認識部から抽出された音声キーワードを入力する音声キーワード入力手段と、音声キーワードと対応付けて当該音声キーワードを当該通話者が発した時の通話者が為した操作内容を記憶する電話機操作記憶手段と、操作候補を表示する操作候補表示手段と、を備え、通話中に、転送、保留、通話録音、電話帳操作または秘匿通話に係わる操作が為された場合に、電話機操作記憶手段は当該操作に係わる操作内容を当該操作が為された前後の所定の期間に音声キーワード入力手段が入力した音声キーワードと対応付けて記憶し、通話中に、音声キーワード入力手段が音声キーワードを入力した場合に、操作候補表示手段は、電話機操作記憶手段を参照して、入力した音声キーワードに対応付けられた操作内容を操作候補として表示することにより達成できる。
【発明の効果】
【００１１】
本発明によれば、会話の内容によって実行する操作を事前に促すことにより操作ミスや操作忘れを防ぐことができ電話機の利便性を高める効果がある。
【図面の簡単な説明】
【００１２】
【図１】電話システムの構成を説明するブロック図である。
【図２】ＩＰ電話機のブロック図である。
【図３Ａ】音声認識サーバが保持する音声キーワードテーブルである。
【図３Ｂ】電話機が保持する電話機操作テーブルである。
【図４Ａ】電話機操作テーブルへの登録を説明するシーケンス図である。
【図４Ｂ】操作支援を説明するシーケンス図である。
【図５】電話機操作テーブル登録を説明する電話システムのフローチャー図である。
【図６】電話機操作の支援を説明する電話システムのフローチャー図である。
【発明を実施するための形態】
【００１３】
以下、本発明の実施の形態について、実施例を用い図面を参照しながら、詳細に説明する。なお、実質同一部位には同じ参照番号を振り、説明は繰り返さない。
【００１４】
図１を参照して、電話システムの構成を説明する。図１において、電話システム１００は、音声認識サーバ１と、ＩＰ電話機２と、ＷＡＮ３と、ルータ４と、ＳＩＰサーバ５と、ＬＡＮ６とから構成されている。ＷＡＮ３には、音声認識サーバ１と、ＩＰ電話機２−１と、ルータ４とが接続されている。ＬＡＮ６には、ルータ４と、ＳＩＰサーバ５と、ＩＰ電話機２−１、２−３とが接続されている。
【００１５】
音声認識サーバ１は、ＩＰ電話機２から音声データを受信すると、ワードスポッティング技術を用いて会話音声から言葉の単語（キーワード）を抽出し、音声データ送信したＩＰ電話機２に抽出したキーワードを出力する。
ＩＰ電話機２は、タッチセンサ付きディスプレイを備える。ＩＰ電話機２は、操作画面をタッチパネルで表示して、ユーザの操作を受け付ける。また、ＩＰ電話機２は、ＳＩＰサーバ５に収容され、内線電話機として機能する。ＩＰ電話機２は、発信または着信の呼を一旦保留し、他のＩＰ電話機へ転送する。
【００１６】
図２を参照して、ＩＰ電話機の構成を説明する。図２において、ＩＰ電話機２は、ＬＡＮインタフェース部２０１と、ハンドセット２０２と、ＩＰ電話処理部２０３と、タッチセンサ付きディスプレイ２０４と、電話機捜査検出制御部２０５と、通話監視部２０６と、音声データ抽出部２０７と、電話帳記憶部２０８と、音声認識要求部２０９と、音声キーワード受信部２１０と、電話機操作記憶部２１１と、表示制御部２１２とから構成されている。
【００１７】
ＬＡＮインタフェース部２０１は、ＬＡＮ６を介して他のＩＰ電話機２やＳＩＰサーバ５さらにルータ４を介してＷＡＮ３へデータを送出する。ＬＡＮインタフェース部２０１は、ＬＡＮ６に接続するための接続インタフェースである。ハンドセット２０２は、音声を取り込むマイクと、音声を聴取するスピーカとを備え、ＩＰ電話処理部２０３とアナログ音声を送受信する。
【００１８】
ＩＰ電話処理部２０３は、ＳＩＰやＨ．３２３などの音声プロトコル機能を有し、アナログ音声をデジタルのＩＰデータに変換する。ＩＰ電話処理部２０３は、ＳＩＰサーバ５と通信しＩＰ電話機２の発着信処理を行なう。また、ＩＰ電話処理部２０３は、発信相手または着信相手の電話番号の情報を抽出する。さらに、ＩＰ電話処理部２０３は、タッチセンサ付きディスプレイ２０４からの操作により、発信、着信、保留、転送などの電話機動作を行なう。
【００１９】
タッチセンサ付きディスプレイ２０４は、ＩＰ電話機２の操作画面と発着信時の操作状況を表示する。また、タッチセンサ付きディスプレイ２０４は、通話相手の情報、具体的には、電話番号や電話帳記憶部２０８に保存されている電話帳データなどの表示を行なう。タッチセンサ付きディスプレイ２０４は、ＩＰ電処理部２０３からの情報により、発着信状況を表示する。
【００２０】
電話機操作検出制御部２０５は、タッチセンサ付きディスプレイ２０４からの情報を監視してタッチして選択された操作を検出する。さらに、電話機操作検出制御部２０５は、検出した操作情報を通話監視部２０６へ送る。
【００２１】
通話監視部２０６は、音声データ抽出部２０７から送られた音声データを音声認識サーバ１へ送信するために音声認識要求部２０９へ送る。また、通話監視部２０６は、ＩＰ電話処理部２０３から送られた通話相手の情報例えば電話番号や通話中状態などのＩＰ電話機２の情報を受け取る。また、通話監視部２０６は、電話帳記憶部２０８に記憶している電話番号を電話番号に対応付けられている名前の情報を受け取る。また、通話監視部２０６は、音声キーワード受信部２１０から音声より抽出したキーワードを受け取る。また、通話監視部２０６は、音声キーワードと電話機の操作と通話相手の情報を関連付けて電話機操作記憶部２１１へ送る。通話監視部２０６は、電話機操作記憶部２１１から音声キーワードと電話機の操作と通話相手の情報を関連付けられたテーブル情報を受け取る。また、通話監視部２０６は、表示制御部２１２へ表示したい表示データ情報を送る。通話監視部２０６は、音声データ抽出部２０７から受け取った音声データを音声認識要求部２０９へ送る。通話監視部２０６は、音声キーワード受信部２１０から受け取った音声キーワードと電話機操作検出制御部２１１から受け取った電話機の操作情報と通話相手の情報とさらに電話帳記憶部２０８から受け取った電話帳データを関連付けて電話機操作記憶部２１１に送る。また、通話監視部２０６は、電話機操作記憶部２１１から受け取った電話機操作テーブルと比較して合致したデータがあった場合に表示制御部２１２へ表示データを送る。
【００２２】
音声データ抽出部２０７は、ＩＰ電話処理部２０３から送られたデジタル化された通話者のＩＰデータを音声データに変換し、通話監視部２０６に送る。電話帳記憶部２０８は、電話番号と名前を関連付けられた電話帳テーブルを記憶する。
音声認識要求部２０９は、ＬＡＮインタフェース部２０１を介して外部に接続されている音声認識サーバ１へ通話監視部２０６から送られた音声データを送信して音声キーワードを要求する。
【００２３】
音声キーワード受信部２１０は、ＬＡＮインタフェース部２０１を介して外部に接続している音声認識サーバ１から音声キーワードを受信する。音声キーワード受信部２１０は、受信した音声キーワードを通話監視部２０６へ送る。
【００２４】
電話機操作記憶部２１１は、音声キーワードテーブル３３を記憶する。電話機操作記憶部２１１は、通話監視部２０６から送られた音声キーワードと電話機操作情報と通話相手の情報を関連付けて電話機操作テーブル３８として記憶する。また、電話機操作記憶部２１１は、電話機操作テーブル３８を記憶し、通話監視部２０６からの要求に応じて電話機操作テーブル３８の情報を通話監視部２０６へ送る。表示制御部２１２は、通話監視部２０６から送られた表示データを操作画面としてタッチセンサ付きディスプレイ２０４へ送る。
なお、本明細書において、通話者とは、ハンドセット２０２から音声を入力する者である。逆に通話相手とは、ハンドセットからその音声を出力する者である。
【００２５】
図３Ａを参照して、音声キーワードテーブルを説明する。音声キーワードテーブル３３は、音声認識サーバ１と電話機２とが共に保持するテーブルである。図３Ａにおいて、音声キーワードテーブル３３は、キーワードＩＤ３１と、音声キーワード３２とから、構成されている。音声キーワードテーブル３３は、予め電話機の会話でよく使われる音声キーワード３２をキーワードＩＤ３１と共に記憶している。
【００２６】
図３Ｂを参照して、電話機操作テーブルを説明する。電話機操作テーブル３８は、電話機２が保持するテーブルである。図３Ｂにおいて、電話機操作テーブル３８は、通話相手３４と、キーワードＩＤ３５と、操作３６と、回数３７とから構成されている。電話機操作テーブル３８は、電話機操作と音声認識サーバ１が検出した音声キーワードを関連して記憶するテーブルである。電話機操作テーブル３８は、通話監視部２０６から送られた通話相手情報と音声キーワード情報と電話機操作情報を関連付けて記憶する。通話相手３４は、通話監視部２０６から送られた電話帳データから通話相手の電話番号からの登録者名が送られた場合に通話相手の名前を記憶する。通話相手の名前が記憶されていない場合、通話相手３４は、相手の電話番号を記憶する。キーワードＩＤ３５は、通話監視部２０６から送られた音声認識サーバ１から受信した音声キーワードと音声キーワードテーブル３３と一致したキーワードＩＤを記憶する。操作３６は、音声監視部２０６から送られた電話機操作情報を記憶する。回数３７は、通話相手３４ごとに通話中使用した操作３６の使用回数を記憶する。尚、電話機操作テーブル３８に音声認識サーバ１からの音声キーワードを登録ししてもよい。これによって、ＩＰ電話機２は音声キーワードテーブル３３が不要となる。
【００２７】
通話監視部２０６は、表示制御部２１２へ表示する優先を通知し、タッチセンサ付きディスプレイ２０４へ使用回数が多い操作順に表示する。なお、電話機操作テーブル３８の通話相手３４の会話および操作の状況によって、同一の通話相手３４で異なるキーワードＩＤ３５を記憶することにより、通話相手３４ごとに複数の音声キーワード３２を記憶することができる。
【００２８】
図４Ａのシーケンスを参照して、電話機操作テーブルの登録動作を説明する。図４Ａのシーケンスは、通話を行なうＩＰ電話機２−１およびＩＰ電話機２−２ならびにＷＡＮ３を介して接続された音声認識サーバ１の間で実行される。なお、電話機２−２が電話機操作テーブル３８を記憶するものして、説明する。ＩＰ電話機２−１とＩＰ電話機２−２とは、通話状態にある。ＩＰ電話機２−２は、相手の音声および自側の音声を音声データとして抽出する（Ｓ１０１）。ＩＰ電話機２−２は、ＷＡＮ３に接続された音声認識サーバ１へ音声データを送信する（Ｓ１０２）。音声認識サーバ１は、受信した音声データを音声認識処理により音声をテキスト変換して、さらにワードスポッティング技術により会話の語句を分離してキーワードとして音声認識処理を行なう（Ｓ１０３）。なお、音声認識サーバ１は、送られてきた音声データを常に解析し、キーワードを検出した場合に音声キーワードを通知する。ＩＰ電話機２−２は、音声認識サーバ１から送信された音声キーワードを受信する（Ｓ１０４）。通話途中でユーザが操作したとき、ＩＰ電話機２−２は、操作を検出する（Ｓ１０５）。ＩＰ電話機２−２は、電話帳記憶部２０８のデータと通話相手の電話番号の情報から通話相手を検出する（Ｓ１０６）。ＩＰ電話機２−２は、検出した電話機操作と検出した通話相手を、予め記憶している通話会話の音声キーワードを関連付けて電話機操作テーブル３８に記憶する（Ｓ１０７）。
【００２９】
図４Ｂを参照して、音声認識を利用した操作支援を説明する。図４Ｂにおいて、シーケンスは、通話を行なうＩＰ電話機２−１およびＩＰ電話機２−２ならびにＷＡＮ３を介して接続された音声認識サーバ１の間で実行される。まず、ＩＰ電話機２−１とＩＰ電話機２−２とは、通話状態にある。ＩＰ電話機２−２は、音声データを抽出する（Ｓ２０１）。ＩＰ電話機２−２は、抽出した音声データをそのまま外部に接続されている音声認識サーバ１へ送信する（Ｓ２０２）。音声認識サーバ１は、受信した音声データから音声キーワードを抽出する音声認識処理を行なう（Ｓ２０３）。ＩＰ電話機２−２は、音声認識サーバ１から音声キーワードを受信する（Ｓ２０４）。ＩＰ電話機２−２は、電話機操作記憶部２１１に記憶している電話機操作テーブル３８を読み込む（Ｓ２０５）。ＩＰ電話機２−２は、電話機操作テーブル３８と一致した音声キーワードがあった場合、タッチセンサ付きディスプレイ２０４へ操作候補を表示する（Ｓ２０６）。
【００３０】
図５を参照して、通話音声から音声キーワードを抽出して電話機操作と関連付けて記憶する動作を説明する。図５において、ＩＰ電話機２は、通話中の音声を抽出する（Ｓ５０１）。ＩＰ電話機２は、抽出した音声を音声データに変換してＷＡＮ３に接続されている音声認識サーバ１へ送信する（Ｓ５０２）。そして、ＷＡＮに接続された音声認識サーバ１から音声キーワードを受信すると、（Ｓ５０３）ＩＰ電話機２は、電話機操作を検出したか判定する（Ｓ５０４）。電話機操作を検出しないとき（Ｓ５０４でＮＯ）、ＩＰ電話機２は、ステップ５０１に戻る。ステップ５０４で電話機操作を検出した場合（Ｓ５０４でＹＥＳ）、ＩＰ電話機２は、電話機操作検出制御部２０５から通話相手の情報（電話番号またはＩＰアドレスなど）を受け取り、電話帳記憶部２０８に記憶されている電話番号と名前の情報から通話相手を特定する（Ｓ５０５）。さらに、ＩＰ電話機２は、電話帳記憶部２０８から電話帳データを読み込む（Ｓ５０６）。ＩＰ電話機２は、音声キーワードと電話機操作と通話相手とを電話機操作テーブル３８に記憶する（Ｓ５０７）。このとき、電話機操作テーブル３８に既に通話相手３３と操作３２が記録されている場合、電話機操作テーブル３８の使用回数３７をインクリメントする。ＩＰ電話機２は、通話終了を判定する（Ｓ５０８）。通話が継続していれば（Ｓ５０８でＮＯ）、ＩＰ電話機２は、ステップ５０１に遷移する。ステップ５０８で通話が終了（Ｓ５０８でＹＥＳ）のとき、ＩＰ電話機２は、処理を終了する。
【００３１】
図６を参照して、通話音声から電話機操作テーブルを検索して電話機操作の表示動作を説明する。図６において、ＩＰ電話機２は、通話中の音声を抽出する（Ｓ６０１）。ＩＰ電話機２は、抽出した音声を音声データに変換してＷＡＮ３に接続されている音声認識サーバ１へ送信する（Ｓ６０２）。そしてＷＡＮに接続された音声認識サーバ１から音声キーワードを受信すると（Ｓ６０３）、ＩＰ電話機２は、電話機操作記憶部２１１で記憶している電話機操作テーブル３８に音声キーワードに対応した操作の登録があるか判定する（Ｓ６０４）。登録がないとき（Ｓ６０４でＮＯ）、ＩＰ電話機２は、ステップ６０１に遷移する。電話機操作テーブル３８に音声キーワードに対応した操作の登録があるとき（Ｓ６０４でＹＥＳ）、ＩＰ電話機２は、音声キーワードに対応する操作の候補を表示する（Ｓ６０５）。
【００３２】
次にＩＰ電話機２は、通話終了を判定する（Ｓ６０６）。通話が継続していれば（Ｓ６０６でＮＯ）、ＩＰ電話機２は、ステップ６０１に遷移する。ステップ６０６で通話が終了（Ｓ６０６でＹＥＳ）のとき、ＩＰ電話機２は、処理を終了する。
【００３３】
本実施例では、音声認識を利用して通話相手との会話をモニタし、会話に対して操作が行なわれると、その会話の音声と操作を関連付けて記憶する。通話相手の情報と検出した音声キーワードと電話機の操作を記憶することにより、次回通話相手ごとに同じ会話を行なった場合に電話機の操作をタッチセンサ付きディスプレイへ操作ボタンを表示することで操作忘れや操作をしやすく支援することができる。タッチセンサ付きディスプレイへの表示は、操作ボタンを使用回数が多い順に並べて表示しても良いし、使用回数が多い操作の表示を大きく表示して操作しやすくしてもよい。本実施例で説明している電話機操作は例えば通話相手の話したい相手が自分でない場合、保留操作や転送操作を行なうことがある。また、電話帳に記録されていない初めての相手との通話の場合、通話内容をあとで確認するために通話録音を行なうことがある。また、初めての相手との通話の場合、相手の電話番号と名前を電話帳へ登録する操作を行なうことがある。また特定の相手、例えば会社の幹部との通話や重要な顧客との通話に関して暗号通話を行なった秘匿通話の操作を行なうことがある。また、通話相手との会話にて第三者の名前例えば通話している本人と通話相手の名前の音声キーワードを検出すると会議通話の操作を行なうことがある。また、通話中に第三者からの着信があった場合、例えばキャッチホンの信号が通話中にあった場合に電話が掛かってきた旨の音声キーワードからキャッチホン操作を行なうことがある。このように通話中の相手や会話内容から電話機の操作を通話中に行なうことがあり、タッチセンサ付きディスプレイへ通話内容により操作する内容を表示することで、操作忘れや操作をしやすくなるような電話機操作の支援を行なうことができる。尚、本実施例で説明したタッチセンサ付きディスプレイ以外に、ＬＣＤ表示などの画面表示のみの機能を有した電話機であってもよい。また、音声認識サーバは、外部に接続されたサーバを使用してもよいし電話機に音声認識機能を有してもよい。さらに、本実施例は、ＩＰ電話機に限定されず、様々な電話機に利用可能である。この場合、ＷＡＮは、ＰＳＴＮ等に置き換えればよい。
【符号の説明】
【００３４】
１…音声認識サーバ、２…ＩＰ電話機、３…ＷＡＮ、４…ルータ、５…ＳＩＰサーバ、６…ＬＡＮ、１００…電話システム、２０１…ＬＡＮインタフェース部、２０２…ハンドセット、２０３…ＩＰ電話処理部、２０４…タッチセンサ付きディスプレイ、２０５…電話機捜査検出制御部、２０６…通話監視部、２０７…音声データ抽出部、２０８…電話帳記憶部、２０９…音声認識要求部、２１０…音声キーワード受信部、２１１…電話機操作記憶部、２１２…表示制御部。
【図１】
2013243447.tif 000003
【図２】
2013243447.tif 000004
【図３Ａ】
2013243447.tif 000005
【図３Ｂ】
2013243447.tif 000006
【図４Ａ】
2013243447.tif 000007
【図４Ｂ】
2013243447.tif 000008
【図５】
2013243447.tif 000009
【図６】
2013243447.tif 000010
【手続補正書】
【提出日】平成24年5月22日(2012.5.22)
【手続補正１】
【補正対象書類名】図面
【補正対象項目名】図４Ａ
【補正方法】変更
【補正の内容】
【図４Ａ】
2013243447.tif 000011
【手続補正２】
【補正対象書類名】図面
【補正対象項目名】図４Ｂ
【補正方法】変更
【補正の内容】
【図４Ｂ】
2013243447.tif 000012
【手続補正３】
【補正対象書類名】図面
【補正対象項目名】図５
【補正方法】変更
【補正の内容】
【図５】
2013243447.tif 000013
【手続補正４】
【補正対象書類名】図面
【補正対象項目名】図６
【補正方法】変更
【補正の内容】
【図６】
2013243447.tif 000014